【手続補正書】
【提出日】平成15年7月11日(2003.7.11)
【手続補正１】
【補正対象書類名】明細書
【補正対象項目名】特許請求の範囲
【補正方法】変更
【補正の内容】
【特許請求の範囲】
【請求項１】
乗車して落下する娯楽用装置であって、
放出点を有するとともに、この放出点下に落下するように位置されたトラックと、
トラックの放出点に向けてトラックに沿って搬送可能な、乗客のための車両と、
車両を放出点に向けてトラックに沿って推進させる推進手段と、
車両が放出点でトラックから放出されることを防止する手段と、
放出点または放出点の直前で車両に水平な減速成分を与える減速手段であって、減速手段により充分に迅速に水平な減速成分が車両に与えられると、乗客が車両から分離され且つ水平成分の運動をもってトラックの放出点から放出されて放出点から自由落下する減速手段と、
第１の固定端と、乗客に直接または間接的に接続されているか或は接続可能な第２の自由端とを有する弾性紐であって、接続された乗客の自由落下および乗客に与えられる水平成分運動を制限し、自由落下の終了時期に、乗客を跳ね返し及び揺動させる弾性紐と、
を備えている装置。
【請求項２】
トラックは滑降斜面または滑り台を備えており、乗客は、滑降斜面または滑り台に沿って、車両に乗ったまま滑走できる請求項１に記載の装置。
【請求項３】
車両は、トラックに沿って滑走するように形成された小型そりを備え、トラックは、小型そりのランナーが走行して小型そりをトラックに位置合わせする溝を有している請求項２に記載の装置。
【請求項４】
車両は、少なくとも１人の乗客が乗ることができる車輪付きの車両を備えている請求項１に記載の装置。
【請求項５】
トラックは、車両の車輪が係合して車両をトラックに位置合わせするレールを備えている請求項４に記載の装置。
【請求項６】
車両に装着可能で且つ車両から分離可能な、乗客のための乗車体を備え、
これにより、乗車体は車両に乗せたままトラックに沿って搬送可能であり、
減速手段によって充分に迅速に水平な減速成分が車両に与えられると、乗車体及び乗客は、車両から分離されて、トラックの放出点から放出される請求項１から請求項５のいずれか１項に記載の装置。
【請求項７】
乗客を乗車体に固定するための固定手段を備える請求項６に記載の装置。
【請求項８】
弾性紐の第２の自由端は、乗車体に接続されているか或は接続可能な請求項７に記載の装置。
【請求項９】
乗車体は、シート材料、マット、クッション、小型そりから成るグループから選択される請求項８に記載の装置。
【請求項１０】
弾性紐の第２の自由端は、乗車体に接続されているか或は接続可能であり、乗車体は、乗客自身の服、シート材料、マット、クッション、及び小型そりから成るグループから選択される請求項７に記載の装置。
【請求項１１】
弾性紐の第２の自由端は、乗車体に接続されているか或は接続可能であり、
乗車体は、シート材料、マット、及びクッションから成るグループから選択されるとともに、乗客に固定されておらず、
これにより、乗車体は、トラックの放出点から自由落下することが可能な請求項６に記載の装置。
【請求項１２】
減速手段は、車両が放出点でトラックから放出されないように車両を停止させるストッパを有し、
車両がストッパによって停止された際には、乗車体は、車両から分離され且つ水平成分の運動をもってトラックの放出点から放出されて放出点から自由落下する請求項８に記載の装置。
【請求項１３】
乗車して落下する娯楽用装置であって、
放出点を有するとともに、この放出点下に落下するように位置されたトラックと、
トラックの放出点に向けてトラックに沿って搬送可能な車両と、
車両を放出点に向けてトラックに沿って推進させる推進手段と、
車両が放出点でトラックから放出されることを防止する手段と、
放出点または放出点の直前で車両に水平な減速成分を与える減速手段と、
乗客のための乗車体であって、車両に装着可能で且つ車両から分離可能であり、これにより、車両に乗せたままトラックに沿って搬送可能であり、減速手段によって充分に迅速に水平な減速成分が車両に与えられると、車両から分離され且つ水平成分の運動をもってトラックの放出点から放出されて放出点から自由落下する乗車体と、
乗客を乗車体に固定するための固定手段と、
第１の固定端と、乗車体に接続され或は接続可能な第２の自由端とを有する弾性紐であって、接続された乗車体の自由落下および乗車体に与えられる水平成分運動を制限し、自由落下の終了時期に、乗車体を跳ね返し及び揺動させる弾性紐と、
を備えている装置。
【請求項１４】
乗車して落下する娯楽用装置であって、
放出点を有するとともに、この放出点下に落下するように位置されたトラックと、
トラックの放出点に向けてトラックに沿って搬送可能な車両と、
車両を放出点に向けてトラックに沿って推進させる推進手段と、
車両が放出点でトラックから放出されることを防止する手段と、
放出点または放出点の直前で、車両に水平な減速成分を与える減速手段と、
乗客のための乗車体であって、車両に装着可能で且つ車両から分離可能であり、これにより、車両に乗せたままトラックに沿って搬送可能であり、減速手段によって充分に迅速に水平な減速成分が車両に与えられると、乗客と共に車両から分離され且つ水平成分の運動をもってトラックの放出点から放出されて放出点から自由落下する乗車体と、
任意に、乗客を乗車体に固定するための固定手段と、
第１の固定端と、乗客に接続され或は接続可能な第２の自由端とを有する弾性紐であって、接続された乗客の自由落下および乗車体に与えられる水平成分運動を制限し、自由落下の終了時期に、乗客を跳ね返し及び揺動させる弾性紐と、
を備えている装置。
【請求項１５】
トラックは滑降斜面または滑り台を備えており、乗客は、滑降斜面または滑り台に沿って、車両に装着された乗車体に乗ったまま滑走できる請求項１３または請求項１４に記載の装置。
【請求項１６】
車両は、トラックに沿って滑走するように形成された小型そりを備え、トラックは、小型そりのランナーが走行して小型そりをトラックに位置合わせする溝を有している請求項１５に記載の装置。
【請求項１７】
車両は、車輪付きの車を構成している請求項１３または請求項１４に記載の装置。
【請求項１８】
トラックは、車の車輪が係合して車をトラックに位置合わせするレールを備えている請求項１７に記載の装置。
【請求項１９】
乗車体は、シート材料、マット、クッション、小型そり状の乗車体、およびカプセルから成るグループから選択される請求項１３から請求項１８のいずれか１項に記載の装置。
【請求項２０】
乗車体は、車両に乗ったまま滑走もしくは転走するように形成された小型そり状の乗車体またはカプセルであり、車両は、乗車体のランナーもしくは車輪が走行して乗車体を車両に位置合わせさせる溝であって、乗車体が車両から分離してトラックから放出される際にトラックと位置合わせされる溝を有している請求項１９に記載の装置。
【請求項２１】
放出点の直前において、トラックは、放出点でトラックから放出される乗客もしくは乗車体に十分な程度の水平運動を与える角度をもって配置されている請求項１３，１４，１７，１８のいずれか１項に記載の装置。
【請求項２２】
減速手段は、充分に急な下向きのカーブをトラックの放出点に備え、これにより、車両がカーブの周りを通過する時に、その急激な方向変化によって、十分に水平な減速成分が乗車体を車両から即ちトラックから放出させることができる請求項２１に記載の装置。
【請求項２３】
トラックのカーブは、トラックの戻し部分に向って連続的に周回し、これにより、車両は、カーブの周りを通過した後、トラックの戻し部において、少なくとも初期に反転姿勢となる請求項２２に記載の装置。
【請求項２４】
トラックの戻し部は、車両を再反転して元の姿勢に戻す車両立て直し手段を有している請求項２３に記載の装置。
【請求項２５】
車両立て直し手段は、トラックの戻し部に捩じれセクションを備え、これにより、車両は、捩じれセクションを通過する時に、再び元の姿勢に戻される請求項２４に記載の装置。
【請求項２６】
トラックの戻し部に乗車体回収手段が関連付けられ、これにより、放出されて落下した乗車体をトラックの戻し部へと引き上げて車両に再び装着することができる請求項２３から請求項２５のいずれか１項に記載の装置。
【請求項２７】
トラックに関連付けられた駆動手段を更に備え、これにより、駆動手段は、車両と相互に作用して、車両を制御可能な方法でトラックの少なくとも一部に沿って移動させることができる請求項１３、請求項１４、または請求項２１から請求項２６のいずれか１項に記載の装置。
【請求項２８】
複数の駆動手段がトラックに関連付けられ、各駆動手段は、トラックの異なる部分に沿う車両の移動を制御する請求項２７に記載の装置。
【請求項２９】
トラックのスタート部分には、トラックに沿う車両の移動を開始する開始駆動手段がある請求項２７または請求項２８に記載の装置。
【請求項３０】
開始駆動手段が推進手段を備えている請求項２９に記載の装置。
【請求項３１】
トラックの放出点の領域には減速駆動手段が設けられ、この減速駆動手段は、減速手段を形成し或は減速手段の一部を成して、乗車体を乗車体から即ちトラックから放出させることができるようにする請求項２７から請求項３０のいずれか１項に記載の装置。
【請求項３２】
トラックの戻し部分に関連付けられ且つ車両をスタート位置もしくはその近傍に戻す戻し駆動手段が設けられている請求項２７から請求項３１のいずれか１項に記載の装置。
【請求項３３】
トラックが連続ループを備えている請求項１から請求項３２のいずれか１項に記載の装置。
【請求項３４】
推進手段は、トラックの放出点に向って下方に傾斜する傾斜面を有するトラックの少なくとも１つのセクションを有する請求項１から請求項３３のいずれか１項に記載の装置。
【請求項３５】
弾性紐の固定端が車両に固定されている請求項１から請求項３４のいずれか１項に記載の装置。
【請求項３６】
弾性紐の固定端は車両に固定されており、
弾性紐は、車両から乗車体が放出されるまで、車両上および任意に乗車体上に支持されている請求項６から請求項３２のいずれか１項に記載の装置。